(57)【要約】      （修正有）【課題】優れた通気性を確保することができ、このように優れた通気性を確保することによっても、十分な耐久性を備えて丈夫に構成することができる合羽の提供。【解決手段】前身頃１２の上下各側を構成する前身頃上側生地と前身頃下側生地２３との間に、前身頃上側生地の下端部２２ａにより覆われ、前身頃１２の内側と外側とを連通する前身頃通気口２４を備え、前身頃通気口２４の長さ方向を前身頃１２の幅方向へ沿って形成した合羽１１であって、前身頃通気口２４の長さ方向の所定部分に、前身頃１２の上下方向に沿って形成された上下方向通気口部分２６を備えた合羽１１。【選択図】図１
0003136886.tif 000002
【実用新案登録請求の範囲】
【請求項１】
前身頃の上下各側を構成する前身頃上側生地と前身頃下側生地との間に、上記前身頃上側生地の下端部により覆われ、前身頃の内側と外側とを連通する前身頃通気口を備え、該前身頃通気口の長さ方向を前身頃の幅方向へ沿って形成した合羽であって、
上記前身頃通気口の長さ方向の所定部分に、前身頃の上下方向に沿って形成された上下方向通気口部分を備えた
合羽。
【請求項２】
上記前身頃通気口の長さ方向における上記上下方向通気口部分の両端側に、上記前身頃上側生地と上記前身頃下側生地とを一体に縫着する縫着部を形成した
請求項１に記載の合羽。
【請求項３】
後身頃の上下各側を構成する後身頃上側生地と後身頃下側生地との間に、上記後身頃上側生地の下端部により覆われ、後身頃の内側と外側とを連通する後身頃通気口を、後身頃の幅方向へ沿って構成した
請求項１、又は、請求項２に記載の合羽。
【請求項４】
袖部を、上腕側を覆う上腕袖部と下腕側を覆う下腕袖部とで別体に構成し、
上記上腕袖部と上記下腕袖部とを取り外し可能に接続する一対の接続手段を備え、
上記上腕袖部における上記下腕袖部との接続端部に、該接続端部の内周から外方向へ突き出した突片部を備え、
上記一対の接続手段における一方の接続手段を、上記突片部における外周側に備え、
上記一対の接続手段における他方の接続手段を、上記下腕袖部における上記上腕袖部との接続縁部における上記突片部との対向部分に備えた
請求項１から請求項３のうちいずれか１項に記載の合羽。
【請求項５】
上記一対の接続手段を、一対のスナップで構成し、
上記一対のスナップにおける一方のスナップを、上記突片部の周方向に複数、配設し、
上記一対のスナップにおける他方のスナップを、上記突片部との対向部分に、上記一方のスナップと係合可能に複数、配設した
請求項４に記載の合羽。
【考案の詳細な説明】
【技術分野】
【０００１】
この考案は、降雨時に雨避けとして着用する雨衣をはじめとして、防寒具（ブレーカー）としても着用することのできる合羽に関する。
【背景技術】
【０００２】
最近、着用時に蒸れないよう、通気性機能を備えた合羽が実用化されている。  
例えば、下記特許文献１には、蒸れない網つき「合羽」が開示されている。
【０００３】
特許文献１における「合羽」は、前身頃の上側生地と下側生地との間に網目素材（１）を備えた通気口を形成するとともに、該通気口を覆うスカート状の蓋（２）を上側生地の下端部に形成している。
【０００４】
特許文献１によれば、上記通気口により通気性を確保することができるとともに、スカート状の蓋（２）により、防水性を確保することができることが謳われている。
【０００５】
しかし、特許文献１における「合羽」は、通気口である網目素材（１）を前身頃の幅方向に沿って水平に一直線状に形成するとともに、スカート状の蓋（２）も網目素材（１）を覆うように水平に一直線状に形成している。
【０００６】
このため、上記通気口は、スカート状の蓋（２）の下から上方向という一方向のみからしか空気を上着の内部に入り込むことができないという構成であるため、十分な通気性を確保することができないという課題を有する。
【０００７】
また、通気性を確保するために、前身頃を上側生地と下側生地とで構成し、これら２部材を網目素材（１）で連結した構成であるため、前身頃を一枚の生地で構成した場合と比較して耐久性が低下してしまうといった課題も有する。
【０００８】
ところで、殊に、合羽を学生用として用いる場合、学生は、通学、遠足、課外活動において雨衣として着用する。さらには、運動会やクラブ活動において防寒具（スクールブレーカー）としても着用し、いずれの場合も活発な活動、運動を伴う状況下で着用される機会が多い。
【０００９】
このため、通気性が十分に確保できず、蒸れたり、身体に密着したり不快感を伴うことや、上述したように耐久性が低下すれば、破損してしまうといった課題が顕著になってしまう。
【００１０】
【特許文献１】実用新案登録第３１１９９６３号公報
【考案の開示】
【考案が解決しようとする課題】
【００１１】
そこで本考案では、優れた通気性を確保することができ、このように優れた通気性を確保することによっても、十分な耐久性を備えた、殊に、学生用として用いるのに好適な合羽の提供を目的とする。
【課題を解決するための手段】
【００１２】
本考案における合羽は、前身頃の上下各側を構成する前身頃上側生地と前身頃下側生地との間に、上記前身頃上側生地の下端部により覆われ、前身頃の内側と外側とを連通する前身頃通気口を備え、該前身頃通気口の長さ方向を前身頃の幅方向へ沿って形成した合羽であって、上記前身頃通気口の長さ方向の所定部分に、前身頃の上下方向に沿って形成された上下方向通気口部分を備えたことを特徴とする。
【００１３】
上述したように、本考案の合羽は、上記前身頃通気口の長さ方向を、前身頃の幅方向へ沿って形成するだけでなく、長さ方向の所定部分に、前身頃の上下方向に沿って形成された上下方向通気口部分を備えて形成している。
【００１４】
よって、本考案における合羽は、前身頃通気口を通じて下側から上方向の通気を許容するのみ加えて、上下方向通気口部分を通じて幅方向（左右方向）からの通気も積極的に許容することができるため、水平方向に一直線状に形成した従来の前身頃通気口と比較して格段に通気性を向上させることができる。
【００１５】
上記上下方向通気口部分とは、前身頃の上下方向のみで形成した形態に限らず、前身頃を正面視したとき、傾斜した形態など上下方向成分を有して形成した形態をも含む。
【００１６】
上記前身頃通気口の長さ方向の所定部分とは、例えば、上記前身頃通気口の長さ方向の中途部分など、少なくとも長さ方向の一部分を示す。
【００１７】
また、本考案における合羽は、上記前身頃通気口の長さ方向における上記上下方向通気口部分の両端側に、上記前身頃上側生地と上記前身頃下側生地とを一体に縫着する縫着部を形成することもできる。
【００１８】
上記構成により、上記上側生地と上記下側生地との間に上記前身頃通気口を形成することによっても、この間の強度を確保することができ、丈夫で耐久性に優れた合羽を構成することができる。
【００１９】
しかも、上記縫着部を、上記前身頃通気口の長さ方向における上記上下方向通気口部分の両端側に形成することにより、上記上下方向通気口部分においては、上側生地と下側生地とが離間自在な状態を保つことができるため、該上下方向通気口部分における通気性を確保することができる。
【００２０】
また、本考案における合羽は、後身頃の上下各側を構成する後身頃上側生地と後身頃下側生地との間に、上記後身頃上側生地の下端部により覆われ、後身頃の内側と外側とを連通する後身頃通気口を、後身頃の幅方向へ沿って構成することができる。
【００２１】
上記構成により、本考案における合羽は、前身頃通気口と後身頃通気口との２つの通気口を備えることになるため、一方の通気口を、外部空気取り込み用の通気口として作用させることができるとともに、他方の通気口を、内部空気排出用の通気口として作用させることができる。よって、合羽の外側と内側とで空気の循環性が向上し、より一層、通気性を向上させることができる。
【００２２】
また、本考案における合羽は、袖部を、上腕側を覆う上腕袖部と下腕側を覆う下腕袖部とで別体に構成し、上記上腕袖部と上記下腕袖部とを取り外し可能に接続する一対の接続手段を備え、上記上腕袖部における上記下腕袖部との接続端部に、該接続端部の内周から外方向へ突き出した突片部を備え、上記一対の接続手段における一方の接続手段を、上記突片部における外周側に備え、上記一対の接続手段における他方の接続手段を、上記下腕袖部における上記上腕袖部との接続縁部における上記突片部との対向部分に備えて構成することができる。
【００２３】
上記構成により、一対の接続手段の突片部を、上記上腕袖部と上記下腕袖部との間から袖部の内側に侵入しようとする雨などに対しての止水用のストッパ、或いは、砂埃に対しての防塵用の返し部材として作用させることができるため、優れた防水性、防塵性を確保することができる。
【００２４】
上記接続手段は、例えば、ホック、ボタン、面ファスナ、スライドファスナなどで構成することができる。
【００２５】
また、本考案における合羽は、上記一対の接続手段を、一対のスナップで構成し、上記一対のスナップにおける一方のスナップを、上記突片部の周方向に複数、配設し、上記一対のスナップにおける他方のスナップを、上記突片部との対向部分に、上記一方のスナップと係合可能に複数、配設することが好ましい。
【００２６】
上記一対のスナップにより、上記上腕袖部と上記下腕袖部とを、容易に取り外し可能に、且つ、強固に接続することができるとともに、周方向に配設した一対のスナップ同士の隙間を通じて通気性を確保することができる。
【００２７】
その他にも、本考案の合羽は、前身頃、或いは、後身頃の上側生地の下端部には、高輝度反射材を固着してもよい。  
さらに、本考案の合羽は、上着部分のみで構成する、或いは、ズボンを備えた構成であってもよく、さらに、下半身側が濡れないよう上半身側からスカート状に垂下した構成であってもよい。
【考案の効果】
【００２８】
本考案の合羽は、優れた通気性を確保することができ、このような優れた通気性を確保することによっても、十分な耐久性を備えて丈夫に構成することができる。
【考案を実施するための最良の形態】
【００２９】
この考案の一実施形態を、以下図面を用いて説明する。  
本実施形態における合羽１１は、図１、及び、図２に示すような外観形状で構成している。  
なお、図１、及び、図２は、それぞれ本実施形態における合羽１１を斜め前方から視た外観図、斜め後方から視た外観図である。
【００３０】
上記合羽１１は、前身頃１２と後身頃１３を備え、前身頃１２と後身頃１３との首周りには、詰襟部１４を縫着している。さらに、前身頃１２と後身頃１３との両肩口の左右各側には、それぞれ袖部１５（左側袖部１５Ｌ、及び、右側袖部１５Ｒ）を縫着している。なお、左側袖部１５Ｌと右側袖部１５Ｒとを肩口に縫着した縫着部分には、パイピング加工を施している。
【００３１】
本実施形態における合羽１１は、図３、及び、図４（ａ），（ｂ），（ｃ）に示すように、略全体を表地１６と裏地１７とを重合させた２層構造で構成し、表地１６は、例えば、防水性を備えた素材であるポリエステルにより形成するとともに、裏地１７は、伸縮性を備えた素材であるポリウレタンによりメッシュ状生地で形成し、本実施形態の合羽１１は、各生地の周縁部を一体に縫着することにより形成している。  
なお、図３は、前身頃１２の一部を拡大した正面図であり、図４（ａ），（ｂ），（ｃ）は、それぞれ図３のＡ−Ａ線端面図、Ｂ−Ｂ線矢視図、Ｃ−Ｃ線矢視図である。
【００３２】
前身頃１２の表地１６は、肩部から胸部にかけての上側部位を被覆する前身頃上側生地２２と、腹部を被覆する前身頃下側生地２３とを、上下各側に配して一体に構成している。
【００３３】
前身頃上側生地２２と前身頃下側生地２３との間には、前身頃１２の幅方向全体に沿って、前身頃１２に対して内側と外側とを連通する前身頃通気口２４を備えている（図１、図３、及び、図４（ａ），（ｂ），（ｃ）参照）。
【００３４】
以下、上記前身頃通気口２４の構成について詳述するが、前身頃通気口２４は、前身頃１２の幅方向中間部に対して左右対称形態で構成しているため（図１参照）、ここでは、前身頃１２を正面視したとき、左側部分のみの構成について図３、及び、図４を用いて説明する。  
上記前身頃上側生地２２の下端部２２ａは、前身頃下側生地２３よりも表側において垂下し、前身頃下側生地２３の上端部２３ｂと離間可能に対向している。  
なお、前身頃上側生地２２と前身頃下側生地２３との対向部分は、少なくとも前身頃１２の幅方向中央側において約５０ｍｍ程度（図３、図４（ａ）中、Ｄ参照）の長さを備え、水や砂埃等の侵入を阻止している。
【００３５】
前身頃通気口２４は、前身頃上側生地２２と前身頃下側生地２３との対向部分における隙間部分に相当し、前身頃下側生地２３の上端部２３ｂに有する開口部２５（図４（ａ），（ｂ）参照）を通じて合羽１１の内側と外側とが連通している。  
上記前身頃通気口２４は、その長さ方向全体を前身頃１２の幅方向全体に亘って形成し、その中途部分には、上下方向に形成した上下方向通気口部分２６を備えている。  
具体的には、上下方向通気口部分２６は、前身頃１２を正面視したとき、前身頃１２の幅方向外側へ進むに連れて徐々に下降しながら約４５度程度傾斜した形態で形成している（図３参照）。  
さらに、前身頃通気口２４の長さ方向における上下方向通気口部分２６の両端部分には、前身頃上側生地２２と前身頃下側生地２３とを、きめ細かな縫い目で強固に縫着した縫着部２７（前身頃縫着部２７）をそれぞれ形成している。  
なお、前身頃下側生地２３の上端部２３ｂは、上記裏地１７と同素材のメッシュ状生地２９により詰襟部１４における縫着部（図示せず）との間において一体に連結し、弛緩しないよう張架している（図４（ａ），（ｂ）参照）。
【００３６】
続いて、前身頃１２の幅方向の中間部に上下方向に沿って開閉自在に構成した開閉ライン部３２について説明する。  
上記開閉ライン部３２の一方の縁部には、一対のスライドファスナ３２ａ，３２ｂの一方のスライドファスナ３２ａが縫着され、他方の縁部には、一対のスライドファスナ３２ａ，３２ｂの他方のスライドファスナ３２ｂが縫着されている。上記一対のスライドファスナ３２ａ，３２ｂは、スライダ３２ｃにより開閉可能に形成している（図１参照）。  
なお、図示しないが、上記開閉ライン部３２を開いたとき、一方の内側縁部には、他方の縁部側へ所定幅だけ突き出した布片を上下方向に沿って縫着している。  
上記布片には、その長さ方向に沿って所定間隔ごとに一対のスナップにおける一方のスナップが固着され、開閉部の他方の縁部には、一方のスナップと係合可能な上記他方のスナップが固着されている（図示せず）。  
その他、前身頃１２には、前身頃下側生地２３の幅方向の左右各側に、ポケット３３を備えている。
【００３７】
続いて、後身頃１３の構成について説明する。  
後身頃１３の表地１６についても、肩部から胸部にかけての上側部位を被覆する後身頃上側生地３４と、主に腹部などの下側部位を被覆する後身頃下側生地３５とを、上下各側に配して一体に形成している（図２参照）。
【００３８】
後身頃１３についても、前身頃１２の前身頃通気口２４と同様に、上記後身頃上側生地３４と後身頃下側生地３５との間に後身頃１３の幅方向全体に沿った後身頃通気口３８を備えている。上記後身頃通気口３８は、前身頃通気口２４と同様の構成を有しているため、前身頃通気口２４と異なる構成について簡単に説明しておく。
【００３９】
上記後身頃通気口３８は、後身頃１３を正面視すると前身頃１２の幅方向全体に亘って略水平方向に形成している。後身頃通気口３８にも２つの縫着部３６（後身頃縫着部３６）を備え、該２つの縫着部３６は、後身頃１３の幅方向中央よりも両外側にそれぞれ形成している。また、後身頃上側生地３４の下端部の幅方向中間部には、幅方向へ沿って帯状の高輝度反射材３７を縫着している。
【００４０】
続いて、上記袖部１５について図５（ａ），（ｂ）を用いて説明する。  
なお、図５（ａ）は、袖部１５の構成説明図であり、図５（ｂ）は、上腕袖部４２と下腕袖部４３との各接続部分における要部を拡大して示した拡大断面図である。
【００４１】
上記袖部１５は、上腕側を覆う上腕袖部４２と下腕側を覆う下腕袖部４３とで別体に構成している。すなわち、上腕袖部４２は、前身頃１２、及び、後身頃１３の肩口部に一体に縫着しているが、下腕袖部４３は、上腕袖部４２に対して取り外し可能に接続している。
【００４２】
具体的には、上記上腕袖部４２と上記下腕袖部４３との互いの接続口縁部４２ａ，４３ａ側には、接続手段として一対のスナップ４４ａ，４４ｂを複数、備えている。
【００４３】
上記上腕袖部４２側の接続口縁部４２ａには、その内周面に沿って帯状部材を円環帯状に縫着することにより、該接続口縁部４２ａの内周全体から外方向へフラップ状に突き出した突片部４５を構成している。
【００４４】
さらに、上記一対のスナップ４４ａ，４４ｂにおける、５つの一方のスナップ４４ａを、上記突片部４５における外周側に、周方向へ等分配した状態で固着している。  
これに対して、上記下腕袖部４３には、その接続口縁部４３ａを、上記上腕袖部４２の接続口縁部４２ａと突片部４５との間に差し込み可能に構成している。さらに、上記下腕袖部４３の接続口縁部４３ａを、その間に差し込んだとき、上記突片部４５との対向部分に、他方のスナップ４４ｂを、上記一方のスナップ４４ａのそれぞれと係合可能に固着している。  
なお、上記下腕袖部４３の袖口部分には、粉塵の侵入を防止可能に伸縮するゴムタック４９を構成している。
【００４５】
最後に、上記詰襟部１４の構成について図６を用いて説明する。  
なお、図６は、後述するフード４６を開いた状態における詰襟部１４、及び、その近傍部分の正面図である。
【００４６】
詰襟部１４は、その内部に頭部を被覆可能なフード４６を備えている。  
具体的には、上記フード４６は、詰襟部１４に対してフラップ状に突出可能にその基端部を、詰襟部１４の縫着ラインとともに縫着している。詰襟部１４には、上気フード４６を折り畳んで内部に収容可能な袋状の収容部４７を備えている。そして、フード４６における人が被る側の面と反対側面の基部側には、一対の面ファスナ４８ａ，４８ｂにおける一方の面ファスナ４８ａを縫着している。さらに、収容部４７の内部には、上記フード４６を折り畳んで収容した状態において上記一方の面ファスナ４８ａと重合可能に他方の面ファスナ４８ｂを縫着している。さらにまた、フード４６の左右両側には、頭部とともに顔側も覆った状態で係止する一対の面ファスナ５０ａ，５０ｂも備えている。
【００４７】
本実施形態における合羽１１は、上述したように構成し、以下、本実施形態における合羽１１が奏する作用、効果について説明する。
【００４８】
本実施形態における合羽１１は、上述したように、前身頃１２における前身頃上側生地２２と前身頃下側生地２３との間に、上記前身頃上側生地２２の下端部２２ａに覆われるとともに、前身頃１２に対して内側と外側との各側を連通する前身頃通気口２４を備えている。  
さらに、該前身頃通気口２４は、その長さ方向を前身頃１２の幅方向へ沿って形成し、その長さ方向における中途部分には、前身頃１２の上下方向に向けて傾斜した形態の上下方向通気口部分２６を備えている。
【００４９】
このため、前身頃通気口２４は、前身頃１２の幅方向全体に亘って一直線状の形態で形成した従来の前身頃通気口と比較して、長さ方向全体の長さを長くすることができるため、通気性を確保することができる。  
殊に、従来の前身頃通気口のように、下から上方向へ流れる外部の空気のみならず、左右方向（左側から右方向、右側から左方向）へ流れる外部の空気についても図７中の矢印に示すように、上下方向通気口部分２６を通じて積極的に合羽１１内部に取り入れることができる。  
なお、図７は、前身頃通気口２４における空気の流れを模式的に矢印で示した作用説明図である。
【００５０】
さらに、前身頃通気口２４に上下方向通気口部分２６を有することにより、前身頃上側生地２２の下端部２２ａが一直線状でなく、長さ方向において直線部分と傾斜部分とが組み合わさった形態となるため、合羽１１の着用者が動作すると、前身頃上側生地２２の下端部２２ａがより一層、弛緩し易くなり、前身頃通気口２４における前身頃上側生地２２と前身頃下側生地２３との間隙を確保して通気性を向上することができる。
【００５１】
以上により、本実施形態における合羽１１は、前身頃通気口２４に上下方向通気口部分２６を有することにより、従来の合羽と比較して格段に通気性を向上させることができる。
【００５２】
また、本実施形態における合羽１１は、上記前身頃通気口２４の長さ方向における上記上下方向通気口部分２６の両端側に、上記前身頃上側生地２２と上記前身頃下側生地２３とを一体に縫着する縫着部２７を形成している。
【００５３】
上記縫着部２７を形成することにより、上記前身頃上側生地２２と上記前身頃下側生地２３との間の強度を確保することができるため、前身頃通気口２４を形成しても、丈夫で耐久性に優れた合羽１１を構成することができる。
【００５４】
また、縫着部２７を形成した部分においては、前身頃上側生地２２と前身頃下側生地２３とが一体に縫着されるため、一見すると前身頃通気口２４の通気性が低下するようにも考えられる。しかし、縫着部２７を上記前身頃通気口２４の長さ方向における上記上下方向通気口部分２６の両端側に形成することにより、前身頃通気口２４における上記上下方向通気口部分２６、或いは、水平方向に直線状に形成した部分については、前身頃上側生地２２と前身頃下側生地２３との対向部分が離間自在であるため、結果的に十分な通気性を確保することができる。
【００５５】
また、上述したように、本実施形態における合羽１１は、後身頃１３においても後身頃通気口３８を構成しているため、前身頃通気口２４と後身頃通気口３８のうち、例えば、前身頃通気口２４を通じて外部の新鮮な空気を内側へ取り込むことができるとともに、後身頃通気口３８を通じて内部に篭り易い温かくて湿った空気を排出することができるため（図１、及び、図２中の矢印参照）、より一層、通気性を向上させることができる。
【００５６】
ところで、本実施形態の合羽１１は雨衣としては勿論、防寒具としても用いることができる。従って、学生用として用いた場合、通学、遠足、課外活動、さらには、遠足、課外活動、クラブ活動、運動会などでも用いることができる。
【００５７】
このように積極的な動作を伴う状況で着用した場合であっても、本実施形態における合羽１１は、上述したように、従来の合羽と比較して通気性が格段に向上しているため、蒸れや身体への密着を阻止し、快適に着用することができる。加えて、丈夫で耐久性に優れることから、学生用に好適であるといえる。
【００５８】
さらに、後身頃１３に縫着した上記高輝度反射材３７によって、第三者からの視認性が向上するため、例えば、学生が通学する際にも安全性を確保することができる。
【００５９】
また、本実施形態における合羽１１は、上述したように袖部１５を、上腕側を覆う上腕袖部４２と下腕側を覆う下腕袖部４３とを別体で形成し、上記上腕袖部４２と上記下腕袖部４３とを取り外し可能に接続する一対のスナップ４４ａ，４４ｂを備えている。そして、上記上腕袖部４２における上記下腕袖部４３との接続口縁部４２ａに、該接続口縁部４２ａの内周全体から外方向へ突き出した突片部４５を備えている。さらに、一方のスナップ４４ａは、上記突片部４５の周方向に複数、配設し、他方のスナップ４４ｂは、上記突片部４５との対向部分に、上記一方のスナップ４４ａと係合可能に複数、配設している。
【００６０】
上記構成により、本実施形態における合羽１１は、適宜、下腕袖部４３を着脱自在に用いることができるとともに、下腕袖部４３を接続して着用したとき、突片部４５が水や砂埃などの返し用の部材として機能するため、上腕袖部４２と下腕袖部４３との接続部分の隙間から水や砂埃などが侵入することを確実に阻止することができる。
【００６１】
しかも、接続口縁部４２ａ，４３ａ同士は、周方向に配設した複数のスナップ４４ａ，４４ｂにより、多点状に接続されているため、周方向において互いに隣接するスナップ４４ａ，４４ｂの間を通じて通気性も確保することができる（図１参照）。
【００６２】
また、本考案の合羽は、上述した実施形態構成に限らず、他の実施形態で構成することができる。  
例えば、本考案の合羽は、後身頃通気口３８にも、前身頃通気口２４と同様に、その長さ方向の一部分に上下方向成分を有する上下方向通気口部分２６を備えてもよい。
【００６３】
また、上下方向通気口部分２６は、上述したように傾斜した形態に限らず、例えば、湾曲した形態など、上下方向成分を備えた形態であれば、他の形態であってもよい。
【００６４】
さらに、本考案の合羽は、不使用時に収容しておくことのできる収納用袋を別途、備えることもできる。
【図面の簡単な説明】
【００６５】
【図１】本実施形態における合羽を正面側から視た外観図。
【図２】本実施形態における合羽を背面側から視た外観図。
【図３】本実施形態における合羽の要部を拡大して示した正面図。
【図４】図３におけるＡ−Ａ線端面図（ａ）、Ｂ−Ｂ線矢視図（ｂ），Ｃ−Ｃ線矢視図（ｂ）。
【図５】本実施形態における合羽の袖部の構成説明図。
【図６】本実施形態における合羽の詰襟部の構成説明図。
【図７】本実施形態における合羽の作用説明図。
【符号の説明】
【００６６】
１１…合羽
１２…前身頃
１３…後身頃
１５…袖部
２２…前身頃上側生地
２３…前身頃下側生地
２２ａ…前身頃上側生地の下端部
２４…前身頃通気口
２６…上下方向通気口部分
２７…縫着部
３４…後身頃上側生地
３５…後身頃下側生地
３８…後身頃通気口
４２…上腕袖部
４３…下腕袖部
４４ａ，４４ｂ…一対のスナップ
４５…突片部
【図１】
0003136886.tif 000003
【図２】
0003136886.tif 000004
【図３】
0003136886.tif 000005
【図４】
0003136886.tif 000006
【図５】
0003136886.tif 000007
【図６】
0003136886.tif 000008
【図７】
0003136886.tif 000009